(57)【要約】【課題】  大規模の穀粒乾燥施設では、多段揺動選別盤形態の籾粗選別装置を備えているが、このような粗選別装置を小規模経営農家用として利用することは難しく、このため、比較的小規模対象、小形形態で、かつ高選別性能の籾粗選別装置を得るものである。【解決手段】  前部に選別穴１を形成のパンテメタル２と、後部に選別長穴３を形成のスリットメタル４とを連設して一体回転の選別筒５を設け、この選別筒５の供給口６側の供給漏斗７には、砂抜き選別網８を設け、前記選別筒５の回転によって籾を漏下選別すると共に、比較的小さい砂礫を供給漏斗７部で除去させた籾を、その選別筒５において選別するもので、籾等の選別の流れを速やかに行わせて、選別能率や、選別性能を高めるものである。【選択図】      図１
2009207996.tif 000002
【特許請求の範囲】
【請求項１】
前部に選別穴（１）を形成のパンテメタル（２）と、後部に選別長穴（３）を形成のスリットメタル（４）とを連設して一体回転の選別筒（５）を設け、この選別筒（５）の供給口（６）側の供給漏斗（７）には、砂抜き選別網（８）を設け、前記選別筒（５）の回転によって籾を漏下選別すると共に、終端排出口（９）からわら屑や、石礫等の異物を排出することを特徴とする籾粗選別装置。
【発明の詳細な説明】
【技術分野】
【０００１】
乾燥装置等で、乾燥した籾を、籾摺機等に供給する場合に、この籾に混入している石礫や、わら屑等の異物を除去選別する小型形態の籾粗選別装置に関する。
【背景技術】
【０００２】
選別筒の回転によって籾の選別を行う形態や、わら屑や、小枝梗等の異物を選別筒の排出口部から排出し、塵埃はファンによる吸引風によって排除する形態の技術が知られている（例えば、特許文献１参照）。
【特許文献１】実開平６ー６４７７８号公報（第５頁、図１）。
【発明の開示】
【発明が解決しようとする課題】
【０００３】
大規模の穀粒乾燥施設では、多段揺動選別盤形態の籾粗選別装置を備えているが、このような粗選別装置を小規模経営農家用として利用することは難しく、このため、比較的小規模対象、小形形態で、かつ高選別性能の籾粗選別装置を得るものである。
【課題を解決するための手段】
【０００４】
請求項１に記載の発明は、前部に選別穴１を形成のパンテメタル２と、後部に選別長穴３を形成のスリットメタル４とを連設して一体回転の選別筒５を設け、この選別筒５の供給口６側の供給漏斗７には、砂抜き選別網８を設け、前記選別筒５の回転によって籾を漏下選別すると共に、終端排出口９からわら屑や、石礫等の異物を排出することを特徴とする籾粗選別装置の構成とする。
【０００５】
乾燥機等で乾燥された籾をこの供給漏斗７に供給して粗選別し、この粗選別した籾を籾摺機等へ供給して籾摺りすることができる。この供給漏斗７では、選別網８によって籾粒よりも小さい砂礫が漏下選別除去されて、この籾等が供給口６から回転選別筒５内へ供給される。この選別筒５の前半部ではパンチメタル２の選別穴１から籾が漏下し、後半部ではスリットルメタル４の選別長穴３から漏下して、これらの籾粒が選別筒５外周面から漏下選別されると共に、この選別筒５内周部に残留したわら屑や、比較的大きい石礫等が終端の排出口９から排出される。
【発明の効果】
【０００６】
籾の粗選別をパンチメタル２とスリットメタル４から構成される選別筒５によって行い、かつ、この籾は供給漏斗７で予め砂礫が除去されているために、わら屑等の異物の選別筒５内周面に対する引っ掛り等の抵抗を少くすることができ、この選別筒５内での籾等の流れを円滑に維持し、小選別網面積で、選別処理量を多くし、籾粗選別装置全体として小型化し、簡潔化することができる。
【発明を実施するための最良の形態】
【０００７】
図例に基づいて、選別フレーム１０上に選別筒５を筒軸１１によって回転自在に軸支し、この上側部に設けるモータ１２により、ベルト１３を介して無段変速可能にして伝動する。この筒軸１１は、選別筒５の供給口６側を高位にし、排出口９側を低位にして、適宜傾斜角度に設定している。
【０００８】
この選別筒５の回転する選別室の上側には、開閉可能の選別室カバー１４を設け、下側には選別漏下される籾を受ける漏斗形態の籾受室１５を設ける。この籾受室１５は、籾排出口２６を揚穀機１６の下端部に連設させて、この揚穀機１６の上端排出口１７を籾摺機等の調整機の供給ホッパー等にのぞませて、粗選別した籾を供給することができる。前記選別室の供給口６側上に籾を供給する供給漏斗６を設け、排出口９側下に排出シュート１８を設ける。
【０００９】
ここにおいて、この籾粗選別装置は、前部に選別穴１を形成のパンテメタル２と、後部に選別長穴３を形成のスリットメタル４とを連設して一体回転の選別筒５を設け、この選別筒５の供給口６側の供給漏斗７には、砂抜き選別網８を設け、前記選別筒５の回転によって籾を漏下選別すると共に、終端排出口９からわら屑や、石礫等の異物を排出することを特徴とする籾粗選別装置の構成とする。
【００１０】
乾燥機等で乾燥された籾を供給漏斗７に供給して粗選別し、この粗選別した籾を籾摺機等へ供給することができる。この供給漏斗７では、選別網８によって籾粒よりも小さな砂礫が漏下選別除去されて、籾等が供給口６から回転選別筒５内へ供給される。この選別筒５の前半部ではパンチメタル２の選別穴１から籾が漏下し、後半部ではスリットルメタル４の選別長穴３から漏下して、籾粒が選別筒５外周面から漏下選別されると共に、この選別筒５内周部に残留したわら屑や、比較的大きい石礫等が終端の排出口９から排出される。
【００１１】
前記選別フレーム１０は略箱形状の形態として、前側に供給漏斗７を突出し、上方に揚穀機１６の上端部を突出させる形態として、コンパクトな構成として、狭い場所での据付設置を容易に選択することができる。この供給漏斗７は下端部の排出口１９をフレーム１０外にのぞませて、この内部に傾斜して設ける選別網８によって選別する比較的小さい砂礫を排出させる。選別網８の下端部は選別筒５の供給口６内にのぞんで、籾を選別筒５内へ供給する。
【００１２】
前記選別筒５は、前半部をパンチングメタル２とし後半部をスリットメタル４で構成している。パンチングメタル２は、板金成形によって丸穴形態の選別穴１を形成したもので、籾粒を漏下させる形態としている。又、スリットメタル４は回転方向に沿って長く形成した長穴３を形成して籾粒を漏下させるもので、波形板の溝部に沿って選別長穴３を形成の形態とすることもできる。
【００１３】
供給口６や排出口９部にはアーム２０、２１を設けて、中央部のボス部を筒軸１１に固定している。この筒軸１１の前後両端部を選別フレーム１０の上部のブラケット２２、２３に軸受して回転させる。これらパンチメタル２やスリットメタル４等の選別面における籾や、わら屑等は、回転による摩擦抵抗や、引っ掛り等が小さく供給口６側から排出口９側へ流動が円滑に行われ、選別処理率を高く維持することができる。また、
前部のパンチメタル２部で殆んどの籾粒を漏下させたわら屑や、小枝梗等は、後部のスリットメタル４部における選別作用を受けて効率的な籾選別が行われる。このため、パンチングメタル２とスリットメタル４を有する選別筒５による選別効率、能率を高くするもとができる。
【００１４】
前記供給漏斗７に設ける選別網８は、図３のように、樋状形態Ａに形成して砂礫の漏下面積を広くして砂抜き選別効率を高めるように構成している。又、この選別網８は、プレート２４を適宜選別間隔２５に配置してラック棚形態Ｂに構成することも可能である。プレート２４の方向を供給漏斗７の傾斜面に沿うように、供給口６に向けて下り傾斜させて、供給籾の流下を行われ易くすると共に、選別間隔２５から砂礫を漏下させる。
【００１５】
次に、主として図４の基づいて、選別筒５の下方に、漏下籾を受けて搬送する籾搬送オーガ３０を設けて、供給漏斗７から供給される籾を受けて回転しながら、籾粒をこの選別筒５から漏下選別すると共に、わら屑等を選別筒５の排出口９から排出させる。この籾搬送オーガ３０の回転される移送樋３１に目抜き板形態のメッシュを形成して、搬送中の籾に混入する小さな砂礫を、このメッシュから漏下除去させて、砂礫受室３３の排出口３２から排出させる。このオーガ３０はモータ３４で駆動する。
【００１６】
又、前記排出口９には、上部ブラケット２３部に排出シュート３５を取付支持させて、この排出シュート３５を選別筒５の回転内周上部にのぞませて、付回りするわら屑の落下を受けて機外へ排出案内する構成としている。選別筒５終端の排出口９からは主として大きい石礫等を排出させるが、わら屑や、小枝梗等をこの排出シュート３５から排出させることができる。
【００１７】
次に、主として図５に基づいて、前記選別筒５のパンチメタル２とスリットメタル４との接合部に沿って適宜高さの仕切リブ４０を形成し、この選別筒５から漏下する選別物を受けるオーガ４１、４２には前後に仕切る仕切壁４３を設けて、パンチメタル２部の選別穴１からは、小さな砂礫を漏下させて、オーガ４１の回転によってオーガ樋４４を排出口３２へ移送して排出する。又、スリットメタル４の選別長穴３から漏下する籾粒をオーガ４２の回転によってオーガ樋４５を排出口２６へ移送排出させる。
【００１８】
この形態では、前記パンチメタル２の選別穴１を籾粒が漏下し難く、この籾粒よりも小さい砂礫を漏下させるように比較的小さいメッシュに形成している。前記選別等５内を排出口９側へ移動される被選別物は途中の仕切リブ４０に係止されて、搬送抵抗を受けながら、わら屑等を籾層の上部に浮かせるようにして後部のスリットメタル４に移動するため、パンチメタル２における砂抜効果をもよくすることができると共に、このスリットメタル４部における籾の漏下選別を効率良く行わせることができる。
【００１９】
次に、主として図６に基づいて、前記供給漏斗７に設ける選別網５０は、大きい異物を選別するもので、格子形態のメッシュに構成されて、大きいわら屑や、石礫等を排出口５１から機外へ排出させ、籾粒を選別筒５の供給口６へ漏下供給する。選別筒５では、籾粒を小さい砂礫と共に漏下させて、下部のオーガ３０樋３１で受けて搬送し、このオーガ樋３１のメッシュ部から小さい砂礫を漏下させて排出口３２から排出させながら、籾粒をこのオーガ樋３１の排出口２６から揚穀機１６へ供給する。又、選別筒５の排出口９からは、この選別筒５内に残る中程度のわら屑や、石礫等の異物を排出する。
【００２０】
次に、主として図７に基づいて、傾斜した揺動選別盤５５によって籾から砂礫や、石礫等を除去する石抜機において、軽量の籾出口５６上側をシート５７で覆って、選別盤５５上の籾に抵抗を加えるように構成したものである。揺動選別盤５５の選別形態では、ファン６０により選別盤５５の下側から上方に風圧が働くが、供給ホッパー５８から供給される籾層Ｍでは、石礫や重量の大きい籾粒の一部が傾斜上手側の石礫排出口５９側へ移送され、この移送される籾層の上部に位置する籾粒や、わら屑等が傾斜下手側の籾出口５６等へ流動して、砂、石礫類の異物と籾粒等とに分離し比重選別される。
【００２１】
６１はファン６０を駆動するモータ、６２は選別盤５５を揺動駆動するモータである。６３は選別盤５５を支持して揺動させる支持アームである。シート５７は選別盤５５上の支軸６４に支持されて、このシート５７の自由端が籾出口５６部上に上下動自在に設けられ、この選別盤５５上面を流下する籾層の上面に軽い流動抵抗を与えて、選別盤５５の籾層を一定に維持しながら選別させるものである。このため、この選別盤５５上面の籾が少くなったときや、選別終端終了前等において、傾斜上手の籾出口５９側に移送されていた異物の逆流を防止でき、籾粒に対する混入するものを防止することができる。
【図面の簡単な説明】
【００２２】
【図１】籾粗選別機の側面図と、その選別筒部側断面図。
【図２】その背面図。
【図３】その砂抜き選別網部の実施例を示す側面図と、断面図、及び平面図と斜視図。
【図４】一部別例を示す籾粗選別機の側面図と、そのオーガ部の正断面図。
【図５】一部別例を示す籾粗選別機の側面図と、一部の拡大断面図。
【図６】一部別例を示す籾粗選別機の側面図。
【図７】揺動選別盤形態の籾粗選別機の側面図。
【図８】その選別盤部の側面図。
【符号の説明】
【００２３】
１        選別穴
２        パンチメタル
３        選別長穴
４        スリットメタル
５        選別筒
６        供給口
７        供給漏斗
８        選別網
９        排出口
【図１】
2009207996.tif 000003
【図２】
2009207996.tif 000004
【図３】
2009207996.tif 000005
【図４】
2009207996.tif 000006
【図５】
2009207996.tif 000007
【図６】
2009207996.tif 000008
【図７】
2009207996.tif 000009
【図８】
2009207996.tif 000010